(57)【要約】【課題】冷却フアンの寿命を均等に延長させることで定期交換周期を延ばし、メンテナンス性が向上できるプロセスコントロール装置を実現する。【解決手段】収納された電気部品を冷却する常時使用用の冷却ファンと、予備用の冷却ファンとを有するキャビネットを具備するプロセスコントロール装置において、前記常時使用用の冷却ファンと前記予備用の冷却ファンとの全ての冷却ファンの残り寿命時間がほぼ均等になるように前記全ての冷却ファンを所定時間ごとに順次切り替えて使用して前記予備用の冷却ファンの数だけ前記全ての前記冷却ファンを順次休止させるようにされた冷却ファン稼働停止制御装置を具備したことを特徴とするプロセスコントロール装置である。【選択図】図１
2012109471.tif 000002
【特許請求の範囲】
【請求項１】
収納された電気部品を冷却する常時使用用の冷却ファンと、予備用の冷却ファンとを有するキャビネットを具備するプロセスコントロール装置において、
前記常時使用用の冷却ファンと前記予備用の冷却ファンとの全ての冷却ファンの残り寿命時間がほぼ均等になるように前記全ての冷却ファンを所定時間ごとに順次切り替えて使用して前記予備用の冷却ファンの数だけ前記全ての前記冷却ファンを順次休止させるようにされた冷却ファン稼働停止制御装置
を具備したことを特徴とするプロセスコントロール装置。
【請求項２】
前記冷却ファン稼働停止制御装置は、前記冷却ファンの稼働をカウントするタイマーと、
このタイマーからの信号により稼働する冷却ファンを決定する冷却ファンセレクタと、
この冷却ファンセレクタからの信号に基づき前記冷却ファンの稼働停止を制御する冷却ファン稼働停止制御回路と、
を具備したことを特徴とする請求項１記載のプロセスコントロール装置。
【請求項３】
前記キャビネット監視装置に設けられ、冷却ファンの回転数から冷却ファンの稼働時間をカウントする稼働時間カウンターと、
この稼働時間カウンターの信号に基づき前記冷却ファンの規定寿命に近づいたら前記冷却ファンの交換アラームを出力する交換アラーム回路と、
を具備したことを特徴とする請求項１又は請求項２記載のプロセスコントロール装置。
【請求項４】
前記キャビネット監視装置に設けられ、冷却ファンの回転数から冷却ファンの稼働時間をカウントする稼働時間カウンターと、
この稼働時間カウンターの信号と前記冷却ファンの規定寿命とから交換時までの残り時間を演算して残り時間の信号を出力する残り時間演算回路と、
を具備したことを特徴とする請求項１乃至請求項３の何れかに記載のプロセスコントロール装置。
【発明の詳細な説明】
【技術分野】
【０００１】
本発明は、プロセスコントロール装置に関するものである。
更に詳述すれば、冷却フアンの寿命を均等に延長させることで定期交換周期を延ばし、メンテナンス性が向上できるプロセスコントロール装置に関するものである。
【背景技術】
【０００２】
図５は従来より一般に使用されている従来例の要部構成説明図である。
図において、キャビネット１に格納された電気機器２は、発熱による劣化や故障を避けるために冷却ファン３によって冷却されている。
予備の冷却ファン４は、冷却ファン３が偶発故障などにより使用できなくなった場合、代替品として稼動して機器の冷却を行う。
【０００３】
この場合は、予備の冷却ファン４は、プロセスコントロール装置の重要性に鑑み、故障の冷却ファン３に直ちに取って代われるように、キャビネット１内に配置されている。
冷却ファン３の正常動作確認用として、キャビネット内のキャビネット監視装置５内に設置されたファン回転数監視回路６は、冷却ファン３の回転数７を監視して、回転数が一定値以下に下がるとファン回転数異常アラーム８を出力する。
【０００４】
ファン回転数異常アラーム８を受け取ったアラーム表示装置９は、ユーザにファン回転数異常を知らせる。
冷却ファン３と予備の冷却ファン４とは、一般的に稼動時間の総和によって寿命が規定されており、例えば、寿命＝３０，０００時間、３年間など、が規定されている。
したがって、寿命に達する前に交換が必要である。
【先行技術文献】
【特許文献】
【０００５】
【特許文献１】特開平０９−１１４５５３号公報
【特許文献２】特開平１１−２９９７５７号公報
【特許文献３】特開２００２−３７４０８６号公報
【発明の概要】
【発明が解決しようとする課題】
【０００６】
このような装置においては、以下の問題点がある。
冷却ファン３の寿命を３年間と仮定すると、予備の冷却ファン４を使用する・しないにかかわらず、必ず３年後に冷却ファン３の交換をしなければならない。
これは、キャビネット全体のメンテナンス定期周期に制限を与えることになる。
【０００７】
冷却ファン３の故障で予備の冷却ファン４を使用した場合、途中で切り替えた予備の冷却ファン４が寿命に至る前に、他の冷却ファン３との関係で、全体として交換しなければならなくなる。
つまり、予備の冷却ファン４を代替品として使用した場合にも、未だ寿命のある予備の冷却フアン４の無駄が発生する。
【０００８】
本発明の目的は、上記の課題を解決するもので、冷却フアンの寿命を均等に延長させることで定期交換周期を延ばし、メンテナンス性が向上できるプロセスコントロール装置を提供する。
冷却フアンが故障した場合でも、残った全てのフアンが寿命に至るまで使用可能にし、無駄を無くし、メンテナンス費が削減出来るプロセスコントロール装置を提供することにある。
【課題を解決するための手段】
【０００９】
このような課題を達成するために、本発明では、請求項１のプロセスコントロール装置においては、
収納された電気部品を冷却する常時使用用の冷却ファンと、予備用の冷却ファンとを有するキャビネットを具備するプロセスコントロール装置において、前記常時使用用の冷却ファンと前記予備用の冷却ファンとの全ての冷却ファンの残り寿命時間がほぼ均等になるように前記全ての冷却ファンを所定時間ごとに順次切り替えて使用して前記予備用の冷却ファンの数だけ前記全ての前記冷却ファンを順次休止させるようにされた冷却ファン稼働停止制御装置を具備したことを特徴とする。
【００１０】
本発明の請求項２のプロセスコントロール装置においては、請求項１記載のプロセスコントロール装置において、
前記冷却ファン稼働停止制御装置は、前記冷却ファンの稼働をカウントするタイマーと、このタイマーからの信号により稼働する冷却ファンを決定する冷却ファンセレクタと、この冷却ファンセレクタからの信号に基づき前記冷却ファンの稼働停止を制御する冷却ファン稼働停止制御回路と、を具備したことを特徴とする。
【００１１】
本発明の請求項３のプロセスコントロール装置においては、請求項１又は請求項２記載のプロセスコントロール装置において、
前記キャビネット監視装置に設けられ、冷却ファンの回転数から冷却ファンの稼働時間をカウントする稼働時間カウンターと、この稼働時間カウンターの信号に基づき前記冷却ファンの規定寿命に近づいたら前記冷却ファンの交換アラームを出力する交換アラーム回路と、を具備したことを特徴とする。
【００１２】
本発明の請求項４の測定プローブにおいては、請求項１乃至請求項３の何れかに記載のプロセスコントロール装置において、
前記キャビネット監視装置に設けられ、冷却ファンの回転数から冷却ファンの稼働時間をカウントする稼働時間カウンターと、この稼働時間カウンターの信号と前記冷却ファンの規定寿命とから交換時までの残り時間を演算して残り時間の信号を出力する残り時間演算回路と、を具備したことを特徴とする。
【発明の効果】
【００１３】
本発明の請求項１によれば、次のような効果がある。
稼動させる冷却フアンを順番に切り替えることで全てのフアンの寿命を均等に延長することが出来るプロセスコントロール装置が得られる。
フアンが故障した場合でも、残った全てのフアンが寿命に至るまで使用可能にし、無駄を無くすことが出来るプロセスコントロール装置が得られる。
【００１４】
具体的な効果として、
ファンの交換周期を延長させて、キャビネット全体のメンテナンス性を向上させることが出来る。この結果、メンテナンスを行うサービスエンジニアの作業費の削減や、メンテナンスのためのシステム制約(メンテナンス中システムはストップさせる等)の緩和が期待できるプロセスコントロール装置が得られる。
【００１５】
例えば、他の機器の交換周期が５年であったとしても、ファンの交換周期である３年にあわせてメンテナンス周期を調整しなければならないなどの問題を解決することが可能となるプロセスコントロール装置が得られる。
予備用ファンの有効活用が出来るプロセスコントロール装置が得られる。
【００１６】
本発明の請求項２によれば、次のような効果がある。
冷却ファン稼働停止制御装置は、冷却ファンの稼働をカウントするタイマーと、このタイマーからの信号により稼働する冷却ファンを決定する冷却ファンセレクタと、この冷却ファンセレクタからの信号に基づき冷却ファンの稼働停止を制御する冷却ファン稼働停止制御回路とが設けられたので、簡潔に構成出来、安価なプロセスコントロール装置が得られる。
【００１７】
本発明の請求項３によれば、次のような効果がある。キャビネット監視装置に設けられ、冷却ファンの回転数から冷却ファンの稼働時間をカウントする稼働時間カウンターと、
この稼働時間カウンターの信号に基づき、冷却ファンの規定寿命に近づいたら、冷却ファンの交換アラームを出力する交換アラーム回路と、が設けられたので、冷却ファンの交換時期を確実に知ることが出来るプロセスコントロール装置が得られる。
【００１８】
本発明の請求項４によれば、次のような効果がある。
前記キャビネット監視装置に設けられ、冷却ファンの回転数から冷却ファンの稼働時間をカウントする稼働時間カウンターと、
この稼働時間カウンターの信号と前記冷却ファンの規定寿命とから交換時までの残り時間を演算して残り時間の信号を出力する残り時間演算回路と、が設けられたので、確実に、冷却ファンの交換準備があらかじめ余裕をもって出来るプロセスコントロール装置が得られる。
【図面の簡単な説明】
【００１９】
【図１】本発明の一実施例の要部構成説明図である。
【図２】図１の動作説明図である。
【図３】本発明の他の実施例の要部構成説明図である。
【図４】本発明の他の実施例の要部構成説明図である。
【図５】従来より一般に使用されている従来例の要部構成説明図である。
【発明を実施するための形態】
【００２０】
以下本発明を図面を用いて詳細に説明する。
図１は本発明の一実施例の要部構成説明図、図２は図１の動作説明図である。
図において、図５と同一記号の構成は同一機能を表す。
以下、図５との相違部分のみ説明する。
【００２１】
図１において、冷却ファン稼働停止制御装置２１は、キャビネット監視装置２０に設けられ、常時使用用の冷却ファン３と予備用の冷却ファン４との全ての冷却ファンの残り寿命時間がほぼ均等になるように、全ての冷却ファン３，４を、所定時間ごとに順次切り替えて使用して、予備用の冷却ファンの数だけ、全ての冷却ファン３，４を順次休止させるようにされている。
【００２２】
この場合は、冷却ファン稼働停止制御装置２１は、冷却ファンの稼働をカウントするタイマー２１１と、このタイマー２１１からの信号により稼働する冷却ファン３，４を決定する冷却ファンセレクタ２１２と、この冷却ファンセレクタ２１２からの信号に基づき冷却ファンの稼働停止を制御する冷却ファン稼働停止制御回路２１３とが設けられている。
【００２３】
以上の構成において、常時必要な台数は稼動を維持しながら稼動させるフアンを一定時間ごとに切り替え、全てのフアンの稼動時間が等しくなるように制御を行う。
【００２４】
この結果、キャビネット全体の稼動時間に対して冷却ファン３，４の１個あたりの稼動時間を短くすることができ、フアンの寿命を均等に延長することが可能となる。
即ち、稼動させる冷却フアン３，４を順番に切り替えることで全てのフアン３，４の寿命を均等に延長することが出来るプロセスコントロール装置が得られる。
【００２５】
なお、冷却ファン３，４の中で、偶発故障などにより使用不可のフアンが発生したら、それを除く残りの冷却ファン３，４で上記の切り替え稼動動作を継続する。
したがって、冷却ファン３，４が故障した場合でも、残った全ての冷却ファン３，４が寿命に至るまで使用可能にし、無駄を無くすことが出来るプロセスコントロール装置が得られる。
【００２６】
より具体的に示す例を図２に示し、稼動フアン切り替の概要を示す。
図２では例として、４個の冷却ファンを実装している構成で、３個の冷却フアンを常時稼動させる必要がある場合を示す。
図３の上下方向は経過年数を示す。矢印の付いている冷却ファン３，４は稼働している冷却ファンを示す。
この場合は、停止させるフアン１個を０．５年ずつ切り替えており、フアン単体では３年の寿命だったのが、４個トータルとして４年に延びていることが分かる。
【００２７】
具体的な効果として、
冷却ファン３，４の交換周期を延長させて、キャビネット全体のメンテナンス性を向上させることが出来る。この結果、メンテナンスを行うサービスエンジニアの作業費の削減や、メンテナンスのためのシステム制約(メンテナンス中システムはストップさせる等)の緩和が期待できるプロセスコントロール装置が得られる。
【００２８】
例えば、他の機器の交換周期が５年であったとしても、ファンの交換周期である３年にあわせてメンテナンス周期を調整しなければならないなどの問題を解決することが可能となるプロセスコントロール装置が得られる。
予備用ファンの有効活用が出来るプロセスコントロール装置が得られる。
【００２９】
冷却ファン稼働停止制御装置２１は、冷却ファンの稼働をカウントするタイマー２１１と、このタイマー２１１からの信号により稼働する冷却ファン３，４を決定する冷却ファンセレクタ２１２と、この冷却ファンセレクタ２１２からの信号に基づき冷却ファン３，４の稼働停止を制御する冷却ファン稼働停止制御回路２１３とが設けられたので、簡潔に構成出来、安価なプロセスコントロール装置が得られる。
【００３０】
図３は、本発明の他の実施例の要部構成説明図である。
図３において、稼働時間カウンター３１は、キャビネット監視装置３０に設けられ、冷却ファン３，４の回転数から冷却ファン３，４の稼働時間をカウントする。
交換アラーム回路３２は、この稼働時間カウンター３１の信号に基づき、冷却ファン３，４の規定寿命に近づいたら冷却ファン３，４の交換アラーム３３を出力する。
交換アラーム表示装置３４は、交換アラーム回路３２からの交換アラーム３３を表示する。
この場合は、交換アラーム表示装置３４は、アラーム表示装置９が兼用されている。
【００３１】
この結果、冷却ファンの交換時期を、確実に知ることが出来るプロセスコントロール装置が得られる。
【００３２】
図４は、本発明の他の実施例の要部構成説明図である。
図４において、稼働時間カウンター３１は、キャビネット監視装置４０に設けられ、冷却ファン３，４の回転数から冷却ファン３，４の稼働時間をカウントする。
残り時間演算回路４１は、この稼働時間カウンター３１の信号と冷却ファン３，４の規定寿命とから、交換時までの残り時間を演算して残り時間信号４２を出力する。
この場合は、残り時間表示装置４３は、残り時間演算回路４１からの残り時間信号４２を表示する。
この場合は、残り時間表示装置４３は、アラーム表示装置９が兼用されている。
【００３３】
この結果、確実に、あらかじめ冷却ファンの交換準備が余裕をもって出来るプロセスコントロール装置が得られる。
【００３４】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００３５】
１      キャビネット
２      電気機器
３      冷却ファン
４      予備の冷却ファン
５      キャビネット監視装置
６      ファン回転数監視回路
７      回転数
８      ファン回転数異常アラーム
９      アラーム表示装置
２０    キャビネット監視装置
２１    冷却ファン稼働停止制御装置
２１１  タイマー
２１２  冷却ファンセレクタ
２１３  冷却ファン稼働停止制御回路
３０    キャビネット監視装置
３１    稼働時間カウンター
３２    交換アラーム回路
３３    交換アラーム
３４    交換アラーム表示装置
４０    キャビネット監視装置
４１    残り時間演算回路
４２    残り時間信号
４３    残り時間表示装置
【図５】
2012109471.tif 000003
【図１】
2012109471.tif 000004
【図２】
2012109471.tif 000005
【図３】
2012109471.tif 000006
【図４】
2012109471.tif 000007